(57)【特許請求の範囲】
【請求項１】
オキシデーションディッチの池内に設置され一体あるいは別体の堰の上下運動により水面上に浮遊するスカムが落とし込まれるトラフと、同トラフからの含水スカムを排出する手段とを備えたオキシデーションディッチにおける水浄化装置であって、前記堰の上下運動は、オキシデーションディッチ内の水中内にエアーを供給するためのローターの駆動に連動してなされるようになっているオキシデーションディッチにおける水浄化装置。
【請求項２】
請求項１において、トラフは固定式とされるとともに、同トラフの前あるいは後側に上下運動可能な堰が配置され、同堰は、ローター軸に備え付けた減速機を介して回転運動するカムにより上下運動するようになっているオキシデーションディッチにおける水浄化装置。
【請求項３】
請求項１または２において、堰は中空状であるオキシデーションディッチにおける水浄化装置。
【発明の詳細な説明】
【０００１】
【発明の属する技術分野】
この発明は、オキシデーションディッチにおける水浄化装置に関する。
【０００２】
【従来の技術】
水浄化設備の１つとしてのオキシデーションディッチには、ローター軸の外周に多数本のローターフィンを備えてモーターで回転駆動することにより池内を流れる汚水にエアーを供給して浄化を促進するようにローターを設置したものがある。
【０００３】
【発明が解決しようとする課題】
このオキシデーションディッチにおいては、水面にスカムが浮遊するが、そのまま流出水として最終沈澱池などの後設備に導出される。これではスカムの処理が時間的に延びて浄化が効率化しない。
この発明は前記課題を解決するためになされたもので、オキシデーションディッチにおいて早期にスカムを除去することにより水の浄化をが効率的に行われるようにしたオキシデーションディッチにおける水浄化装置を提供することを目的とする。
【０００４】
【課題を解決するための手段】
前記課題を解決するため、請求項１記載の発明は、オキシデーションディッチの池内に設置され一体あるいは別体の堰の上下運動により水面上に浮遊するスカムが落とし込まれるトラフと、同トラフからの含水スカムを排出する手段とを備えたオキシデーションディッチにおける水浄化装置であって、前記堰の上下運動は、オキシデーションディッチ内の水中内にエアーを供給するためのローターの駆動に連動してなされるようになっている。
【０００５】
請求項２記載の発明は、請求項１において、トラフは固定式とされるとともに、同トラフの前あるいは後側に上下運動可能な堰が配置され、同堰は、ローター軸に備え付けた減速機を介して回転運動するカムにより上下運動するようになっている。
【０００６】
請求項３記載の発明は、請求項１または２において、堰は中空状である。
【０００７】
【発明の実施の形態】
以下、図示した実施形態を参照してこの発明を詳細に説明する。
【０００８】
図１および図２はその好適な一実施形態を示し、１は長円形のオキシデーションディッチで、その中央箇所を図示しており、同オキシデーションディッチ１は、中央隔壁２を介して図１の上側がＸ方向の流れを形成する第１流路３で、図１の下側がＹ方向の流れを形成する第２流路４になっている。
【０００９】
５は覆蓋であり、コンクリート製である場合とプラスチック板製の場合がある。
【００１０】
第１流路３を挟んで対向する外周壁（図示省略）と中央隔壁２のそれぞれ対応する個所には、図２に示すような角形の切欠６が形成されており、これらの切欠６を介してそれぞれ軸受７が固定設置されている。
【００１１】
前記外周壁側の切欠には、軸受の他に減速機付きのモーターが設置されている。こうして、ローター軸８が回転支持されて同ローター軸８の外周に多数列状に突設したローターフィン９…が回転駆動されるようになっている。
【００１２】
ローター軸８の第２流路４側の端部には図示しないカップリングを介して減速装置１０が連動自在になっている。この減速装置１０は、遊星ギア方式（その他の方式も可能）のものとされ、その出力軸１１には回転アーム１２が取り付けられている。
【００１３】
尚、減速装置１０は、中央隔壁２の側壁に止め付けられている。また、回転アーム１２は、長手方向に進退自在に固定されている。
【００１４】
一方、第２流路４内には、左右１対のフランジ１４をボルト止めすることでトラフ１５が横架状に固定されている。このトラフ１５は、円筒形を原形とし、その前側（矢印Ｙに対向する側）に切欠状の誘引口１６が開口している。この誘引口１６は、水面１７を境に上下にわたるような開口になっている。左右のフランジ１４には、誘引口１６の下端内側付近に回転軸１９が設けられ、同回転軸１９を介して堰２０が回転自在に支持されている。尚１８は回転軸１９のブラケットである。
【００１５】
堰２０は、長円形状の断面をしており、その内部は中空形で浮力を発生するものになっている。２１は堰２０とトラフ１５間を仕切るゴム製の前部シールであり、２２は堰２０の側面に備え付けた側部シールであって、側部シール２２は、フランジ１４の内面を滑って前方からの水の浸入がないようにする。
【００１６】
堰２０の中央隔壁２寄りの端部からは前斜め向きにアーム２４が突設され、同アーム２４の先端には、回転アーム１２の軌道上にあるようにローラー２５が取り付けられて回転アーム１２が下がってくることで下向きに押し下げられるようにされ、これにより、堰２０が水面下に沈む一方、堰２０自体の浮力あるいはバランスウエイト２６の助けを借りて水面上に復帰しストッパ１３で停止するようになっている。
尚、２６はトラフ１５の底部に連通する排水パイプで、トラフ１５内に流れ込む含水スカムをオキシデーションディッチ外に導出するものである。
【００１７】
尚、前記実施形態では、トラフ１５を固定式にしてその前側に堰２０を組み合わせたものであるが、トラフ１５をロータリー式に支持して同トラフ１５の前端を堰部分にしてもよい。この場合、トラフ１５の前端部にからアーム２４を突設する。また、トラフ１５を固定式にする場合は、角樋状にしてもよいが、図示実施形態のように丸形のものの方が図２の矢印のように円滑に汚水が流れる。
【００１８】
ローターフィン９の回転に連れて回転アーム２４は更に減速して回転し、ローラー２５を押さえ込むことでアーム２４を介して堰２０が押し下げられる。そのことにより、浮遊してくるスカムを水とともに呑み込まれて排水パイプ２６を通じてオキシデーションディッチ１外に導出される。尚、図２に仮想線で示すように、堰２０の前端部からスカム溜め部材２８を取り付けておいて、堰２０が沈んだ際により多くのスカムを呑み込むようにしてもよい。
【００１９】
尚、前記スカム除去装置は、中央隔壁２を介してローターフィン９と逆側に配置されているが、例えば、ローターフィン９と同一サイドに配してもよく、この場合、ローターフィン９の下流に離れて配置されるのが好ましい。
【００２０】
図３に示す実施形態は、トラフ３０がその円筒中心を回転軸３１にて前後に回転自在に支持されるとともに、その前端下部から水面３２上方に持ち上がった状態の堰３３を形成したものになっている。尚、堰３３の先端にスカム溜め部を形成してもよい。トラフ３０の回転は、図２に示すような方式にする。この場合、バランスウエイトや補助復帰フロートを付してもよい。堰３３を中空状にしてもよい。
【００２１】
図４に示す実施形態は、トラフ３５を回転軸３６で支持するとともに、同トラフ３５の後回り下部から水面上方に向くように突片３７を備えたものであり、突片３７の後端にはスカム溜め部３８を備えるとともに、突片３７の中間には、溜まるスカムを突片３７の下動に伴いトラフ３５内に呑み込むための通口３９が形成されている。トラフ３５の回転は、図２に示すような方式にするがバランスウエイトや補助復帰フロートが必要である。スカム溜め部３８前に溜まったスカムは、トラフ３５の回転により下がる突片３７の曲面で前向きに押し出されて通口３９を通じてトラフ３５内に送りこまれる。突片３７は中空状に形成してもよい。
【００２２】
図５に示す実施形態は、円筒（あるいは角筒）形をした固定式のトラフ４１の前部開口４２に回転式の開閉バルブ４３を備えるとともに、トラフ４１の下部から水面下に斜めに下がるようにスカム掬い板４４を突設したものである。通常は、スカムがスカム掬い板４４で案内されて閉止したバルブ４３前で溜まるが、同バルブ４３が回転して開くことでトラフ４１内に呑み込まれる。
【００２３】
図６に示す実施形態は、バルブ４６が前後に進退して開閉するもので、ガイドパイプ４７に進退ロッド４８を備え、同ロッド４８をレバー４９で応動させるものである。
【００２４】
図７および図８に示す実施形態は同一の実施形態で、図７は流路５１を上からみたもので、図８はその縦断面図である。これらにおいて、５２は架台で、流路５１の一側に斜台として設置され、その架台５２上には、減速機５３付きモーター５４が固定されるとともにその出力軸に設けられたスプロケットとローター軸５５に設けられたスプロケットとの間をチェーン５６で伝達することでローター軸５５が回転されるようになっている。
【００２５】
この実施形態では、特に、ローター軸５５が、図７に示すように、流路５１の一側から他側に向けて平面的に斜めに向けられるとともに、図８に示すように、流路５１の一側上方から他側底壁５７に向けて延びている。ローター軸５５は、上側と底側でそれぞれ軸受５８で支持されている。ローター軸５５にはローターフィン５９が突設されているが、このローターフィン５９は、エアーを放出自在なパイプ部を備えたものとされるとともに、架台５２に備えたエアー発生源６０からエアーを導くようになっている。エアー発生源６０はローター軸５５の回転力でエアーを吸引して送り込むようになっている。尚、ローター軸５５は、図８の実線矢印方向に回転されるが逆回転させてもよい。また、図８の実線矢印のように、ローター軸５５をジョイントで折れ曲がり自在にしてメンテナンスに有利なようにしてもよい。さらに、前記実施形態では平面的にも立面的にも傾斜した複合傾斜状になっているが、例えば、平面的に傾斜しただけのものにしたり、立面的に傾斜しただけのものにしたり、いずれでもよい。
【００２６】
図９ないし図１３に示す実施形態は、ローター軸６３からエアーが導かれるものにおいて、同エアーを噴出する多数本のローターフィン６４…を図示のような、反り曲がり状のなた形にしたものである。すなわち、同ローターフィン６４は、図１０（図９のＡ−Ａ線断面図）に示すような丸筒形を原形６５とし、同原形６５の形状を基部とするとともに、図１１（図９のＢ−Ｂ線断面図）に示すように偏平にプレスし、更に図１２（図９のＣ−Ｃ線断面図）に示すように偏平度を増したものに成形したものである。
【００２７】
それとともに、図１３に図９のＤ方向からの矢視図を示すように、ローター軸６３を基部とし先にゆくに従って前記基部を含むローター軸６３に直交する面内から外れて反り曲がった三次元的な曲がり形状になっている。このようにローターフィン６４を形成することで、汚水を打って返しにして攪拌性能に優れたものになる。同ローターフィン６４の回転方向は、図９に矢印で示す方向とは逆の方向にしてもよいし、図９実線の水の流れを仮想線で示すように逆方向にしてもよい。
【００２８】
ローターフィン６４の回転方向後行側には、エアー噴出孔６６…が多数開口しており、ローターフィン６４の回転に伴って同フィン６４の後側が負圧になることによりエアーが噴出されて汚水中に混合する。尚、ローターフィン６４の回転先行側に、汚水を導入する導水孔６７…が開口して、導入した汚水でエアーを引き込みながら同時噴出するようにしてもよい。尚、ローター軸６３からのエアーの流れと導入される水の流れとをローターフィン６４内で平行な流れとし、最後に合流して流れ出すようにローターフィン６４内に縦方向に仕切板を固定してもよい。ローターフィン６４にはマグネットによる浄水手段を付してもよい。
【００２９】
図１４に示す実施形態は、簡易型で製作しやすいローターフィン７０になっている。同ローターフィン７０は、円筒を２段に溶接して基部パイプ７１と先パイプ７２で構成したもので、導水孔７３側に誘導フィン７４を設けてもよい。７５はエアー噴出孔である。この場合もパイプ内に仕切板を入れてもよい。
【００３０】
【発明の効果】
この発明は以上のように構成されているので、オキシデーションディッチにおいて早期にスカムを除去することにより水の浄化をが効率的に行われるようにしたオキシデーションディッチにおける水浄化装置を提供することができる。
【図面の簡単な説明】
【図１】この発明の一実施形態であるオキシデーションディッチ内でのスカム除去装置の平面図。
【図２】図１の側断面図。
【図３】スカム除去装置の他の実施形態を示す側断模式図。
【図４】スカム除去装置の他の実施形態を示す側断模式図。
【図５】スカム除去装置の他の実施形態を示す側断模式図。
【図６】スカム除去装置の他の実施形態を示す側断模式図。
【図７】複合傾斜型ローター軸を備えたローターの実施形態を示す平面図。
【図８】図７の側断面図。
【図９】特殊ローターの実施形態を示す側断面図。
【図１０】図９のＡ−Ａ線断面図。
【図１１】図９のＢ−Ｂ線断面図。
【図１２】図９のＣ−Ｃ線断面図。
【図１３】図９のＤ矢視図。
【図１４】他のローターを示す断面図。
【符号の説明】
１…オキシデーションディッチ  ３，４…流路  ８…ローター軸  ９…ローターフィン  １０…減速機  １５…トラフ  ２０…堰  ２６…排水パイプ  ５５…ローター軸  ６４，７０…ローターフィン  ６６，７５…エアー噴出孔  ６７，７３…導水孔。
【図１】
0003806981.tif 000002
【図２】
0003806981.tif 000003
【図３】
0003806981.tif 000004
【図４】
0003806981.tif 000005
【図５】
0003806981.tif 000006
【図６】
0003806981.tif 000007
【図７】
0003806981.tif 000008
【図８】
0003806981.tif 000009
【図９】
0003806981.tif 000010
【図１０】
0003806981.tif 000011
【図１１】
0003806981.tif 000012
【図１２】
0003806981.tif 000013
【図１３】
0003806981.tif 000014
【図１４】
0003806981.tif 000015